(57)【要約】【課題】着脱可能な外部記憶装置を装着して画像形成装置の処理を行わせるときに、消費電力の増加を最小限に抑えることができる画像形成装置を提供する。【解決手段】画像形成装置に着脱可能な外部記憶装置が着脱され、該外部記憶装置の着脱を検出する接続部と、電源供給を通常モードと節電モードに切り替えられるとともに、当該画像形成装置の画像読取部と印刷部に電源を個別に供給／遮断できる電源制御部を備え、前記電源制御部は、前記接続部に前記外部記憶装置が装着されたことを通知され、当該外部記憶装置に印刷可能なファイルが記憶されているか否かに応じて、電源を個別に供給／遮断する。【選択図】図３
2011066675.tif 000002
【特許請求の範囲】
【請求項１】
画像形成装置に着脱可能な外部記憶装置が着脱され、該外部記憶装置の着脱を検出する接続部と、電源供給を通常モードと節電モードに切り替えられるとともに、当該画像形成装置の画像読取部と印刷部に電源を個別に供給／遮断できる電源制御部を備え、
前記電源制御部は、前記接続部に前記外部記憶装置が装着されたことを通知され、当該外部記憶装置に印刷可能なファイルが記憶されているか否かに応じて、電源を個別に供給／遮断することを特徴とする画像形成装置。
【請求項２】
前記電源制御部は、電源供給が節電モードのときに、前記接続部に前記外部記憶装置が装着されたことを通知され、当該外部記憶装置に印刷可能なファイルが記憶されていない場合、原稿を読み取るための画像読取部へ電源を供給することを特徴とする請求項１に記載の画像形成装置。
【請求項３】
さらに、原稿が原稿台あるいは原稿自動送装置に載置されたことを検知する原稿載置検知部を備え、前記電源制御部は、電源供給が節電モードのときに、前記接続部に前記外部記憶装置が装着されたことを通知され、当該外部記憶装置に印刷可能なファイルが記憶されている場合でも、前記原稿載置検知部が原稿を検知すると、原稿を読み取るための画像読取部へ電源を供給することを特徴とする請求項１または２に記載の画像形成装置。
【請求項４】
前記電源制御部は、電源供給が通常モードで当該画像形成装置の処理が待機状態のときに、前記接続部に前記外部記憶装置が装着されたことを通知され、当該外部記憶装置に印刷可能なファイルが記憶されていない場合、印刷を実行するための印刷部への電源を遮断することを特徴とする請求項１に記載の画像形成装置。
【請求項５】
前記電源制御部は、電源供給が通常モードで当該画像形成装置の処理が待機状態のときに、前記接続部に前記外部記憶装置が装着されたことを通知され、当該外部記憶装置に印刷可能なファイルが記憶されていない場合、前記画像読取部で原稿を読み取った画像データを前記外部記憶装置に記憶するメモリスキャナモードに移行することを特徴とする請求項１または４に記載の画像形成装置。
【請求項６】
前記電源制御部は、当該画像形成装置が節電モードから復帰中に、前記接続部に前記外部記憶装置が装着されたことを通知され、当該外部記憶装置に印刷可能なファイルが記憶されていない場合、印刷を実行するための印刷部への電源を遮断することを特徴とする請求項１に記載の画像形成装置。
【発明の詳細な説明】
【技術分野】
【０００１】
本発明は、電力供給を通常モードと節電モードに切り替えができるとともに、画像読取部と印刷部の電力を個別に供給／遮断の制御が可能であって、着脱可能な外部記憶装置を接続可能な画像形成装置に関する。
【背景技術】
【０００２】
近年、環境問題が重視され、オフィスや家庭において、待機時の情報機器の消費電力を削減することが求められている。画像形成装置においても、待機時の消費電力を削減するために、画像形成装置が一定時間使用されず待機している状態あるいは節電キーが押されたときに、節電モード（省エネモードあるいはスリープモードとも称する）に切り替わり、原稿を読み取る画像読取部や用紙等に印刷する印刷部への電力供給を停止して消費電力を削減している。
【０００３】
また、操作部のキー操作、原稿押さえカバーの開閉、ネットワークからの実行ジョブの受信などにより画像形成装置が使用されるときには、節電モードから通常モードに復帰し、画像形成装置が動作するように各部に電力を供給している。
これによって、画像形成装置は、全体として消費電力を削減している。
【０００４】
また、外部記憶装置の一つであるＵＳＢ（登録商標）（Universal Serial Bus）メモリは、昨今の低コスト化の流れとも相俟って利用範囲が拡大してきている。
画像形成装置においても、ＵＳＢメモリを外部記憶装置として装着・接続し、ＵＳＢメモリ内の記憶情報を印刷したり、また、紙媒体の資料を読み取った後の画像データをＰＤＦ等のフォーマットへ変換してＵＳＢメモリに保存する所謂ＳｃａｎＴｏＵＳＢメモリ（メモリスキャンモードとも称する）機能を搭載してきている。
【０００５】
特許文献１には、挿抜可能な記憶媒体の挿抜状態信号を、電源制御部と記憶媒体接続部の双方に接続することにより、挿抜状態による電源制御と、ハードウェアによる記憶媒体の初期化を実施することにより、ＣＰＵの電源が落とされている節電モードの場合でも、記憶媒体が挿入されるとソフトウェアとは関係なく直ちに記憶媒体の初期化を行ったり、ソフトウェアが立ち上がるとすぐに記憶媒体を使えるようにしている。
【先行技術文献】
【特許文献】
【０００６】
【特許文献１】特開２００６−２５６１５３号公報
【発明の概要】
【発明が解決しようとする課題】
【０００７】
しかしながら、特許文献１では、メモリスキャンモードの場合、原稿を読み取ってその画像データを記録媒体に記憶させるだけであるため、用紙等に印刷する必要がないにもかかわらず、転写部、定着部や帯電部などの印刷部に必要のない電力供給が行われ、節電効果が低いという問題点がある。
【０００８】
本発明は、上述の実情を考慮してなされたものであって、着脱可能な外部記憶装置を装着して処理を行わせるときに、消費電力の増加を最小限に抑えることができる画像形成装置を提供することを目的とする。
【課題を解決するための手段】
【０００９】
上述の課題を解決するために、本発明の画像形成装置は、画像形成装置に着脱可能な外部記憶装置が着脱され、該外部記憶装置の着脱を検出する接続部と、電源供給を通常モードと節電モードに切り替えられるとともに、当該画像形成装置の画像読取部と印刷部に電源を個別に供給／遮断できる電源制御部を備え、前記電源制御部は、前記接続部に前記外部記憶装置が装着されたことを通知され、当該外部記憶装置に印刷可能なファイルが記憶されているか否かに応じて、電源を個別に供給／遮断する。
さらに、次のような構成をとる。
【００１０】
（１）前記電源制御部は、電源供給が節電モードのときに、前記接続部に前記外部記憶装置が装着されたことを通知され、当該外部記憶装置に印刷可能なファイルが記憶されていない場合、原稿を読み取るための画像読取部へ電源を供給する。
さらに、原稿が原稿台あるいは原稿自動送装置に載置されたことを検知する原稿載置検知部を備え、前記電源制御部は、電源供給が節電モードのときに、前記接続部に前記外部記憶装置が装着されたことを通知され、当該外部記憶装置に印刷可能なファイルが記憶されている場合でも、前記原稿載置検知部が原稿を検知すると、原稿を読み取るための画像読取部へ電源を供給する。
【００１１】
（２）前記電源制御部は、電源供給が通常モードで当該画像形成装置の処理が待機状態のときに、前記接続部に前記外部記憶装置が装着されたことを通知され、当該外部記憶装置に印刷可能なファイルが記憶されていない場合、印刷を実行するための印刷部への電源を遮断する。
【００１２】
（３）前記電源制御部は、電源供給が通常モードで当該画像形成装置の処理が待機状態のときに、前記接続部に前記外部記憶装置が装着されたことを通知され、当該外部記憶装置に印刷可能なファイルが記憶されていない場合、前記画像読取部で原稿を読み取った画像データを前記外部記憶装置に記憶するメモリスキャナモードに移行する。
【００１３】
（４）前記電源制御部は、当該画像形成装置が節電モードから復帰中に、前記接続部に前記外部記憶装置が装着されたことを通知され、当該外部記憶装置に印刷可能なファイルが記憶されていない場合、印刷を実行するための印刷部への電源を遮断する。
【発明の効果】
【００１４】
本発明によれば、着脱可能な外部記憶装置を装着して画像形成装置の処理を行わせるときに、消費電力の増加を最小限に抑えることができる。
また、外部記憶装置を装着したときにデータの存否を判定して最適な処理モードに移行するため、ユーザの操作性が向上する。
【図面の簡単な説明】
【００１５】
【図１】実施形態に係る画像形成装置の電源系統の要部の構成を示すブロック図である。
【図２】実施形態に係る画像形成装置の外観斜視図である。
【図３】主制御部における電源制御を行うための制御構成を示すブロック図である。
【図４】待機状態で外部記憶装置が接続されたときに、電力供給モードと処理モードを決定する処理手順を示すフローチャートである。
【図５】節電モードで外部記憶装置が接続されたときに、電力供給モードと処理モードを決定する処理手順を示すフローチャートである。
【発明を実施するための形態】
【００１６】
以下、図面を参照して本発明の画像形成装置に係る実施形態について説明する。
はじめに、本明細書で使用する用語について定義する。
【００１７】
画像形成装置における電源制御で使用する用語（通常モード、節電モード）について説明する。
通常モードとは、画像形成装置の全体（主制御部、電源制御部、画像読取部や印刷部等）に電力を供給している状態をいう。この通常モードのうち、画像形成装置が使用されていない状態を待機状態という。
また、この通常モードであっても、処理モード（下記参照）によっては、画像読取部および印刷部のいずれかに電力が供給されない場合がある。
例えば、画像読取だけを実行する処理モードのときには、印刷部に電力を供給せず、印刷だけを実行する処理モードのときには、画像読取部に電力を供給しない。
【００１８】
節電モードとは、主制御部と電源制御部のみに常時電源が入っており、それ以外の各種論理回路やメカニカル系などには電力を供給しない状態をいい、画像形成装置が一定時間使用されない待機状態あるいは節電キーが押されることにより節電モードに切り換わる。
また、通常モードおよび節電モードを総称して、電力供給のモードと称する。
【００１９】
次に、画像形成装置における処理形態を表わす用語（メモリプリントモード、メモリスキャンモード）について説明する。
メモリプリントモードとは、接続した外部記憶装置に記憶された画像データを用紙上に印刷する画像形成処理を含む処理モードである。画像形成装置の機能制御系でメモリプリントモードが設定されると、外部記憶装置中のファイル名を表示画面にリスト表示し、ユーザが表示されたリストの中からひとつ選択して、印刷条件を入力した後に、スタートキーを押下すると、指定されたファイル内のデータに画像形成処理が行われ、印刷条件にしたがって印刷が行われる。
【００２０】
メモリスキャンモードとは、原稿を読み取った画像データを外部記憶装置に記憶する処理モードである。画像形成装置の機能制御系でメモリスキャンモードが設定されると、ユーザが原稿台上に読み取り対象の原稿を載置し、読み取り条件と出力条件を入力した後に、スタートキーを押下すると、読み取り条件にしたがって原稿の画像読取処理が行われ、出力条件にしたがって外部記憶装置に書き込まれる。
【００２１】
次に、本発明の実施形態に係る画像形成装置の構成について説明する。
図１は、本発明の実施形態に係る画像形成装置の電源系統の要部の構成を示すブロック図である。同図において、画像形成装置１００は、主制御部１１０、電源制御部１２０、電源１３０、画像読取部１４０、印刷部１５０、操作部１６０、接続部１７０、記憶部１８０を備えている。
【００２２】
主制御部１１０は、画像形成装置１００の各部を制御する中央処理ユニット（ＣＰＵ）であり、記憶部１８０に格納された制御プログラム、または外部から供給される制御プログラムに基づいて各種の処理を実行する。また、主制御部１１０は、画像読取部１４０、操作部１６０および接続部１７０から通知された種類に応じた処理モードを実行する。
【００２３】
記憶部１８０は、各種制御プログラム、各種制御プログラムで使用される固定情報、当該装置を使用した時のユーザの設定した設定情報、あるいは、当該装置の実行状態における状態情報等を記憶する。また、記憶部１８０は、画像読取部１４０や印刷部１５０が画像処理した画像データを格納するのにも使われる。
【００２４】
電源１３０は、画像形成装置１００の各部（主制御部１１０、電源制御部１２０、画像読取部１４０、印刷部１５０、操作部１６０、接続部１７０、記憶部１８０）と接続し、これらの各部に電力を供給する。
【００２５】
電源制御部１２０は、主制御部１１０からの下記のような指示に応じて、電源１３０に対して電源の供給／遮断の制御を行うとともに、電力供給のモードを記憶部１８０に記憶する。
【００２６】
（１）主制御部１１０からの指示が節電モードへの移行指示であれば、電力供給のモードを節電モードに切り替えて、画像読取部１４０および印刷部１５０への電源を遮断する。
（２）主制御部１１０からの指示が通常モードへの復帰指示であれば、電力供給のモードを通常モードに切り替えて、画像読取部１４０および印刷部１５０へ電源を供給にする。
（３）主制御部１１０からの指示が印刷部１５０への電源遮断であれば、印刷部１５０への電源を遮断する。この場合は、電力供給のモードを通常モードのままとする。
（４）主制御部１１０からの指示が画像読取部１４０への電源遮断であれば、画像読取部１４０への電源を遮断する。この場合は、電力供給のモードを通常モードのままとする。
（５）主制御部１１０からの指示が画像読取部１４０への電源供給であれば、電力供給のモードを通常モードに切り替えて、画像読取部１４０へ電源を供給する。
（６）主制御部１１０からの指示が印刷部１５０への電源供給であれば、電力供給のモードを通常モードに切り替えて、印刷部１５０へ電源を供給する。
【００２７】
画像読取部１４０は、原稿台あるいは原稿トレイへ載置された紙媒体等の原稿を読み取って電子データに変換し、記憶部１８０または接続部１７０に接続された外部記憶装置に電子データを出力する。
この画像読取部１４０には、原稿を載置する原稿自動送装置と原稿検出センサを備え、原稿検出センサが原稿のセットを検出して、主制御部１１０へ通知する。また、画像読取部１４０では、原稿台が操作されると、原稿をセットしようとしたものとして、原稿のセットを主制御部１１０へ通知する。
【００２８】
この画像読取部１４０は、必要な回路としてはスキャナ画像処理回路、ＣＣＤ回路、スキャナ駆動電源や、メカニカルではスキャナ装置、複数枚の原稿を読み取らせるための自動原稿送装置等で構成される。
【００２９】
印刷部１５０は、画像読取部１４０で読み取られた画像データ、記憶部１８０に記憶された画像データ、外部から転送された画像データ、接続部１７０に接続された外部記憶装置内の画像データ等を用紙等に印刷する。この印刷部１５０は、必要な回路としては、画像処理回路、コントロール回路、駆動電源や、メカニカルでは定着装置、転写装置、帯電装置、給紙装置などで構成される。
【００３０】
操作部１６０は、図２に例示するように、液晶等からなるタッチパネル式の表示部、テンキー、スタートキー等のキー入力部、および、文字や記号等を入力するキーボードを備え、各種データの入力や表示を行う。本実施形態では、外部記憶装置が接続部１７０に接続されたときに、所定の処理モードに応じた操作用画面が表示部に自動的に表示され、キー入力部、キーボードやタッチパネルが操作されると、この操作信号が主制御部１１０に通知される。
【００３１】
接続部１７０は、図２に例示するように、外部記憶装置を画像形成装置１００に接続するための複数（本実施形態では３個）の差込口であり、操作部１６０の前面に配置されている。本実施形態では、この差込口をＵＳＢ規格に準拠したものとし、この差込口にＵＳＢインターフェースを有する外部記憶装置を接続することにより、外部記憶装置と画像形成装置１００の間で、双方のデータ送受信が可能となっている。この外部記憶装置は、ＵＳＢメモリ、外部ＨＤＤやメモリカード等が利用でき、少なくとも初期化が行われており、データが書き込まれているかが判定できるようになっているものとする。また、印刷可能なデータが書き込まれているかは、ファイルの拡張子により判断するものとする。
また、接続部１７０では、外部記憶装置が差込口に接続された（装着された）こと、および／または差込口から抜かれた（接続状態が解除された）ことを検出し、主制御部１１０へ通知する。
【００３２】
次に、主制御部１１０における電源制御について説明する。
図３は、主制御部１１０における電源制御を行うための制御構成を示すブロック図である。同図において、電源制御を行うための制御構成は、変化取得部１１１、変化判定部１１２、節電監視部１１３を備えている。
【００３３】
変化取得部１１１は、画像読取部１４０、操作部１６０および接続部１７０からのユーザ操作の通知を受信し、以下の処理を行う。
【００３４】
（１）接続部１７０からの通知：
外部記憶装置が接続部１７０（差込口）へ接続されたという信号を通知されると、接続開始信号と差込口の区別を記憶部１８０の特定の位置に書き込んで、変化判定部１１２に割り込む。
また、外部記憶装置が接続部１７０（差込口）から切り離されたという信号を通知されると、接続終了信号と差込口の区別を記憶部１８０の特定の位置に書き込んで、変化判定部１１２に割り込む。
【００３５】
（２）画像読取部１４０からの通知：
電力供給のモードが通常モードの時には、原稿自動送装置や原稿台に原稿がセットされたことを通知されると、原稿セット信号を記憶部１８０の特定の位置に書き込む。
また、電力供給のモードが節電モードの時には、原稿自動送装置や原稿台に原稿がセットされたことを通知されると、原稿セット信号を記憶部１８０の特定の位置に書き込んで、節電監視部１１３に割り込む。
【００３６】
（３）操作部１６０からの通知：
電力供給のモードが通常モードの時には、キー入力部、キーボードやタッチパネルが操作されたという信号が通知されると、操作信号と操作の区別を記憶部１８０の特定の位置に書き込む。
また、電力供給のモードが節電モードの時には、キー入力部、キーボードやタッチパネルが操作されたという信号が通知されると、操作信号と操作の区別を記憶部１８０の特定の位置に書き込んで、節電監視部１１３に割り込む。
【００３７】
次に、変化判定部１１２は、変化取得部１１１から割り込まれると、図４および図５に示す処理を行って、電力供給のモードと処理モードを決定し、次に変化取得部１１１から割り込まれるのを待つ。
決定した電力供給のモードは、電源制御部１２０への指示として送信される。また、決定した処理モードは、主制御部１１０において実行される。
【００３８】
図４は、待機状態で外部記憶装置が接続されたときに、電力供給モードと処理モードを決定する処理手順を示すフローチャートである。
待機状態のときに変化取得部１１１から外部記憶装置が差込口に接続されて割り込まれ（ステップＳ１のＹＥＳ）、その外部記憶装置にファイルが記憶されていないか否かを判定し、記憶されていない場合（ステップＳ２のＹＥＳ）、または、外部記憶装置に記憶されているファイルの拡張子に印刷可能なファイルの拡張子があるか否かを判定し、ない場合（ステップＳ５のＹＥＳ）、印刷部１５０の電源遮断の指示を電源制御部１２０に送信し（ステップＳ３）、処理モードをメモリスキャンモードに設定する（ステップＳ４）。
【００３９】
また、外部記憶装置に記憶されているファイルの拡張子に印刷可能なファイルの拡張子が少なくとも１つはある場合（ステップＳ５のＮＯ）、「メモリスキャン」か「メモリプリント」のいずれの処理を行うかの入力促進メッセージを操作部１６０の表示部に表示する（ステップＳ６）。
【００４０】
操作部１６０で「メモリプリント」が指示されたとき（ステップＳ７のＹＥＳ）、電力供給のモードは通常モードのままとして、処理モードをメモリプリントモードに設定する（ステップＳ８）。
一方、操作部１６０で「メモリスキャン」が指示されたとき（ステップＳ７のＮＯ）、ステップＳ３乃至Ｓ４の処理を実行する。
【００４１】
次に、図５は、節電モードで外部記憶装置が接続されたときに、電力供給モードと処理モードを決定する処理手順を示すフローチャートである。
節電モードのときに変化取得部１１１から外部記憶装置が差込口に接続されて割り込まれ（ステップＳ２１のＹＥＳ）、その外部記憶装置にファイルが記憶されているか否かを判定し、記憶されていない場合（ステップＳ２２のＹＥＳ）、または、外部記憶装置に記憶されているファイルの拡張子に印刷可能なファイルの拡張子があるか否かを判定し、ない場合（ステップＳ２５のＹＥＳ）、画像読取部１４０への電源供給の指示を電源制御部１２０に送信し（ステップＳ２３）、処理モードをメモリスキャンモードに設定する（ステップＳ２４）。
【００４２】
また、外部記憶装置に記憶されているファイルの拡張子に印刷可能なファイルの拡張子が少なくとも１つはあるとき（ステップＳ２５のＮＯ）、原稿自動送装置に原稿が載置されているか、または、原稿台の操作があったことが割り込み処理されている場合（ステップＳ２６のＹＥＳ）、ステップＳ２３乃至Ｓ２４の処理を行う。
【００４３】
一方、原稿自動送装置に原稿が載置されておらず、原稿台の操作もなされていない場合（ステップＳ２６のＮＯ）、節電モードから通常モードに復帰する指示を電源制御部１２０に送信し（ステップＳ２７）、「メモリスキャン」か「メモリプリント」のいずれの処理を行うかの入力促進メッセージを操作部１６０の表示部に表示する（ステップＳ２８）。
【００４４】
操作部１６０で「メモリスキャン」が指示されたとき（ステップＳ２９のＹＥＳ）、印刷部１５０への電源遮断の指示を電源制御部１２０に送信し（ステップＳ３２）、ステップＳ２４の処理を実行する。
一方、操作部１６０で「メモリプリント」が指示されたとき（ステップＳ２９のＮＯ）、画像読取部１４０への電源遮断の指示を電源制御部１２０に送信し（ステップＳ３０）、処理モードをメモリプリントモードに設定する（ステップＳ３１）。
【００４５】
次に、節電監視部１１３は、変化判定部１１２から通常モードにおいて待機状態に入った通知を受け取ると、タイマに節電モードへ入るまでの所定の時間を設定する。
そして、節電監視部１１３は、タイマがこの所定の時間が経過するのを監視し、タイマをゼロに設定するとともに、節電モードへの移行指示を電源制御部１２０に送信する。
電源制御部１２０は、節電モードへの移行指示を受信すると、電源１３０から画像読取部１４０および印刷部１５０への電源を遮断し、電力供給のモードを節電モードとする。
【００４６】
また、変化取得部１１１から割り込まれたときには、電力供給のモードを通常モードとするために、画像読取部１４０および印刷部１５０への電源供給の指示を電源制御部１２０に送信する。
電源制御部１２０は、画像読取部１４０および印刷部１５０への電源供給の指示を受信すると、電源１３０から画像読取部１４０および印刷部１５０へ電源を供給し、電力供給のモードを通常モードとする。
【００４７】
画像形成装置を以上の構成にすることより、着脱可能な外部記憶装置を装着して画像形成装置の処理を行わせるときに、消費電力の増加を最小限に抑えることができる。
また、外部記憶装置を装着したときにデータの存否を判定して最適な処理モードに移行するため、ユーザの操作性が向上する。
【００４８】
また、本発明は上述した実施形態に限定されず、本発明の要旨を逸脱しない範囲内で各種の変形、修正が可能であるのは勿論である。
【符号の説明】
【００４９】
１００…画像形成装置、１１０…主制御部、１１１…変化取得部、１１２…変化判定部、１１３…節電監視部、１２０…電源制御部、１３０…電源、１４０…画像読取部、１５０…印刷部、１６０…操作部、１７０…接続部、１８０…記憶部。
【図１】
2011066675.tif 000003
【図２】
2011066675.tif 000004
【図３】
2011066675.tif 000005
【図４】
2011066675.tif 000006
【図５】
2011066675.tif 000007